(57)【特許請求の範囲】
【請求項１】
高パワー照明灯の高速冷却装置であって、主体を含み、前記主体の左端面にはシェードが固定的に設置され、前記シェードの中には左方に開口した照明空間が設置され、前記主体の左端面の中には灯座が固定的に設置され、前記灯座の左端には前記照明空間の中に位置した照明灯が固定的かつ通電できるように連結され、前記照明空間の上壁には半円環状の吸熱空間が設置され、前記吸熱空間と前記照明空間との間には吸熱口が連通するように設置され、前記照明空間の下側には半円環状の送風空間が設置され、前記送風空間と前記照明空間との間には送風口が連通するように設置され、前記主体の中にはファン装置が設置され、前記ファン装置は前記主体の中に上下対称に設置されたファン空間を含み、前記ファン空間の左壁には左方に開口した半円環状の通気空間が連通するように設置され、上側の前記通気空間の左側が前記吸熱空間の右側に連通し、下側の前記通気空間の左側が前記送風空間の右側に連通し、上側の前記ファン空間の右壁には吸熱ファンが回転可能に設置され、下側の前記ファン空間の右壁には送風ファンが回転可能に設置され、前記主体の中の右側には熱エネルギー転換器が固定的に設置され、前記熱エネルギー転換器の上端には吸熱通路が連通するように設置され、前記吸熱通路の上端が左方に曲がって上側の前記ファン空間の右壁の上端に連通しており、前記熱エネルギー転換器の下端には送風通路が連通するように設置され、前記送風通路の下端が左方に曲がって下側の前記ファン空間の右壁の下端に連通しており、前記ファン空間の右側には制御装置が設置され、前記制御装置は前記吸熱ファンと前記送風ファンの回転を制御できると同時に前記吸熱通路と前記送風通路の開閉を制御できることを特徴とする高パワー照明灯の高速冷却装置。
【請求項２】
前記照明灯の発熱量が大きくなった時、前記吸熱ファンと前記送風ファンとが同時に回転し、前記送風ファンにより風を下側の前記通気空間の中に吹かませて前記送風空間の中に吹き込んで、前記送風口により前記吸熱口に送風して冷却させ、この時前記吸熱ファンが風を吸い、吸熱口の周囲の熱気が前記吸熱口を通って前記吸熱空間の中に吸い込まれ、上側の前記通気空間を通って前記ファン空間の中に流れ込み、前記照明灯の発熱量が低い時、前記吸熱ファンが回転せず、前記送風ファンが続いて回転して前記吸熱口に送風して冷却させることを特徴とする請求項１に記載の高パワー照明灯の高速冷却装置。
【請求項３】
前記吸熱ファンの軸心には上ファン軸が固定的に設置され、上側の前記ファン空間の右下側にはプーリ空間が設置され、前記上ファン軸の右端が前記プーリ空間の中に延びており且つ前記上ファン軸の右端には従動プーリが固定的に設置され、前記従動プーリの下側には主動プーリが回転可能に設置され、前記主動プーリと前記従動プーリとの間には伝動ベルトが巻きつけられ、前記主動プーリの軸心には伝動軸が固定的に設置され、前記送風ファンの軸心には下ファン軸が固定的に設置されていることを特徴とする請求項１に記載の高パワー照明灯の高速冷却装置。
【請求項４】
前記制御装置は前記プーリ空間の右側に設置された制御空間が設置され、前記伝動軸の右端が前記制御空間の中に延びており且つ前記伝動軸の右端には上平歯車が固定的に設置され、前記下ファン軸の右端が前記制御空間の中に延びており且つ前記下ファン軸の右端には下平歯車が固定的に設置され、前記下平歯車が前記上平歯車の下方に対向しており、前記下平歯車の右端には小平歯車が固定的に連結され、前記制御空間の内部の右側には切換棒が左右にスライド可能に設置され、前記切換棒の内部の下端には動力モータが固定的に設置され、前記動力モータの左端には前記小平歯車と噛み合える大平歯車が伝動可能に連結され、前記大平歯車の左端には主動平歯車が固定的に連結され、前記主動平歯車は前記上平歯車と前記下平歯車の両方と同時に噛み合うことができることを特徴とする請求項３に記載の高パワー照明灯の高速冷却装置。
【請求項５】
前記制御空間の上壁には平行移動空間が連通するように設置され、前記平行移動空間の左右壁の間には制御ボルトが回転可能に設置され、前記平行移動空間の中には前記制御ボルトにネジ山で連結された平行移動ブロックが左右にスライドできるように設置され、前記切換棒の上端が前記平行移動ブロックの下端面に固定的に連結されていることを特徴とする請求項４に記載の高パワー照明灯の高速冷却装置。
【請求項６】
前記平行移動空間の左壁の中には制御モータが固定的に設置され、前記制御ボルトの左端が前記制御モータの右端に伝動可能に連結されていることを特徴とする請求項５に記載の高パワー照明灯の高速冷却装置。
【請求項７】
前記吸熱通路の左壁と前記平行移動空間の右壁との間には上密封空間が連通するように設置され、前記上密封空間の中には密封できる上密封板が左右スライドできるように設置され、前記上密封板の右端が前記吸熱通路の中に延びて前記吸熱通路を密封することができ、前記平行移動ブロックの中には右方に開口した伸縮空間が設置され、前記上密封板の左端が前記伸縮空間の内部に延びており、前記上密封板の左端と前記伸縮空間の左壁との間には伸縮ばねが固定的に連結されていることを特徴とする請求項１に記載の高パワー照明灯の高速冷却装置。
【請求項８】
前記送風通路の左壁と前記制御空間の右壁との間には下密封空間が連通するように設置され、前記下密封空間の中には下密封板が左右スライドできるように且つ密封できるように設置され、前記下密封板の右端が前記送風通路の中に延びて前記送風通路を密封することができ、前記下密封板の左端が前記制御空間の中に延びており且つ前記切換棒の右端面に固定的に連結されていることを特徴とする請求項１に記載の高パワー照明灯の高速冷却装置。
【請求項９】
前記主体の左端面の中には円環型の熱量検測器が固定的に設置され、前記熱量検測器が前記動力モータと前記制御モータに通電できるように連結され、前記灯座が前記熱量検測器の内円の内部に位置することを特徴とする請求項１に記載の高パワー照明灯の高速冷却装置。
【発明の詳細な説明】
【技術分野】
【０００１】
本願発明は照明灯技術分野に関し、具体的には高パワー照明灯の高速冷却装置に関する。
【背景技術】
【０００２】
より大規模の場面では高パワーの照明灯で照明を提供し、その間に生じた大量の熱量が空気中に染み込み、周囲の空気温度を上げる上に、エネルギー資源の浪費と言っても過言ではなく、また、照明灯を消した後、自然冷却してから照明灯を解体又は移動することが初めてできるようになり、面倒なのは自然冷却だとかなり時間がかかり、やけどなど起こしやすく、したがって照明灯の生じた熱量を吸収して冷却させる必要がある。本願発明は上記問題を解決できる。
【先行技術文献】
【特許文献】
【０００３】
【特許文献１】中国特許出願公開第１０５４５２７５８号明細書
【発明の概要】
【発明が解決しようとする課題】
【０００４】
技術問題：
高パワー照明灯は使用時に割と大きな熱量を生じ、自然冷却ではエネルギーの浪費を招き、速度が遅い。
【課題を解決するための手段】
【０００５】
高パワー照明灯の高速冷却装置であって、主体を含み、前記主体の左端面にはシェードが固定的に設置され、前記シェードの中には左方に開口した照明空間が設置され、前記主体の左端面の中には灯座が固定的に設置され、前記灯座の左端には前記照明空間の中に位置した照明灯が固定的かつ通電できるように連結され、前記照明空間の上壁には半円環状の吸熱空間が設置され、前記吸熱空間と前記照明空間との間には吸熱口が連通するように設置され、前記照明空間の下側には半円環状の送風空間が設置され、前記送風空間と前記照明空間との間には送風口が連通するように設置され、前記主体の中にはファン装置が設置され、前記ファン装置は前記主体の中に上下対称に設置されたファン空間を含み、前記ファン空間の左壁には左方に開口した半円環状の通気空間が連通するように設置され、上側の前記通気空間の左側が前記吸熱空間の右側に連通し、下側の前記通気空間の左側が前記送風空間の右側に連通し、上側の前記ファン空間の右壁には吸熱ファンが回転可能に設置され、下側の前記ファン空間の右壁には送風ファンが回転可能に設置され、前記主体の中の右側には熱エネルギー転換器が固定的に設置され、前記熱エネルギー転換器の上端には吸熱通路が連通するように設置され、前記吸熱通路の上端が左方に曲がって上側の前記ファン空間の右壁の上端に連通しており、前記熱エネルギー転換器の下端には送風通路が連通するように設置され、前記送風通路の下端が左方に曲がって下側の前記ファン空間の右壁の下端に連通しており、前記ファン空間の右側には制御装置が設置され、前記制御装置は前記吸熱ファンと前記送風ファンの回転を制御できると同時に前記吸熱通路と前記送風通路の開閉を制御できる。
【０００６】
有益的に、前記照明灯の発熱量が大きくなった時、前記吸熱ファンと前記送風ファンとが同時に回転し、前記送風ファンにより風を下側の前記通気空間の中に吹かませて前記送風空間の中に吹き込んで、前記送風口により前記吸熱口に送風して冷却させ、この時前記吸熱ファンが風を吸い、吸熱口の周囲の熱気が前記吸熱口を通って前記吸熱空間の中に吸い込まれ、上側の前記通気空間を通って前記ファン空間の中に流れ込み、前記照明灯の発熱量が低い時、前記吸熱ファンが回転せず、前記送風ファンが続いて回転して前記吸熱口に送風して冷却させる。
【０００７】
前記吸熱ファンの軸心には上ファン軸が固定的に設置され、上側の前記ファン空間の右下側にはプーリ空間が設置され、前記上ファン軸の右端が前記プーリ空間の中に延びており且つ前記上ファン軸の右端には従動プーリが固定的に設置され、前記従動プーリの下側には主動プーリが回転可能に設置され、前記主動プーリと前記従動プーリとの間には伝動ベルトが巻きつけられ、前記主動プーリの軸心には伝動軸が固定的に設置され、前記送風ファンの軸心には下ファン軸が固定的に設置されている。
【０００８】
有益的に、前記制御装置は前記プーリ空間の右側に設置された制御空間が設置され、前記伝動軸の右端が前記制御空間の中に延びており且つ前記伝動軸の右端には上平歯車が固定的に設置され、前記下ファン軸の右端が前記制御空間の中に延びており且つ前記下ファン軸の右端には下平歯車が固定的に設置され、前記下平歯車が前記上平歯車の下方に対向しており、前記下平歯車の右端には小平歯車が固定的に連結され、前記制御空間の内部の右側には切換棒が左右にスライド可能に設置され、前記切換棒の内部の下端には動力モータが固定的に設置され、前記動力モータの左端には前記小平歯車と噛み合える大平歯車が伝動可能に連結され、前記大平歯車の左端には主動平歯車が固定的に連結され、前記主動平歯車は前記上平歯車と前記下平歯車の両方と同時に噛み合うことができる。
【０００９】
有益的に、前記制御空間の上壁には平行移動空間が連通するように設置され、前記平行移動空間の左右壁の間には制御ボルトが回転可能に設置され、前記平行移動空間の中には前記制御ボルトにネジ山で連結された平行移動ブロックが左右にスライドできるように設置され、前記切換棒の上端が前記平行移動ブロックの下端面に固定的に連結されている。
【００１０】
前記平行移動空間の左壁の中には制御モータが固定的に設置され、前記制御ボルトの左端が前記制御モータの右端に伝動可能に連結されている。
【００１１】
有益的に、前記吸熱通路の左壁と前記平行移動空間の右壁との間には上密封空間が連通するように設置され、前記上密封空間の中には密封できる上密封板が左右スライドできるように設置され、前記上密封板の右端が前記吸熱通路の中に延びて前記吸熱通路を密封することができ、前記平行移動ブロックの中には右方に開口した伸縮空間が設置され、前記上密封板の左端が前記伸縮空間の内部に延びており、前記上密封板の左端と前記伸縮空間の左壁との間には伸縮ばねが固定的に連結されている。
【００１２】
前記送風通路の左壁と前記制御空間の右壁との間には下密封空間が連通するように設置され、前記下密封空間の中には下密封板が左右スライドできるように且つ密封できるように設置され、前記下密封板の右端が前記送風通路の中に延びて前記送風通路を密封することができ、前記下密封板の左端が前記制御空間の中に延びており且つ前記切換棒の右端面に固定的に連結されている。
【００１３】
前記主体の左端面の中には円環型の熱量検測器が固定的に設置され、前記熱量検測器が前記動力モータと前記制御モータに通電できるように連結され、前記灯座が前記熱量検測器の内円の内部に位置し、前記熱量検測器は前記照明灯の四周の熱量を検測でき、前記熱量検測器は検測した熱量により前記制御モータと前記動力モータとを制御して冷却を行って温度を下げることができる。
【発明の効果】
【００１４】
本願発明の有益効果は：本願発明は照明灯辺りの熱量を検測し、風力を調節することで、熱量が大きい時、下側に冷風を送り、上側の熱風を吸うことによって照明灯の冷却を加速して熱量を吸収し、熱量が低い時、早い冷却を行い、照明灯を早く冷却させると同時に電気エネルギーを節約できる。
【図面の簡単な説明】
【００１５】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明の高パワー照明灯の高速冷却装置の全体構成図
【図２】図２は図１におけるＡの構造拡大図
【図３】図３は図１におけるＢ―Ｂ方向の構成図
【図４】図４は図１におけるＣ―Ｃ方向の構成図
【発明を実施するための形態】
【００１７】
本願発明は高パワー照明灯の高速冷却装置に関し、主に照明灯の高速冷却に応用され、下記に明細書図面を合わせて本願発明を更に説明する：
【００１８】
高パワー照明灯の高速冷却装置であって、主体１１を含み、前記主体１１の左端面にはシェード１２が固定的に設置され、前記シェード１２の中には左方に開口した照明空間１３が設置され、前記主体１１の左端面の中には灯座５１が固定的に設置され、前記灯座５１の左端には前記照明空間１３の中に位置した照明灯５２が固定的かつ通電できるように連結され、前記照明空間１３の上壁には半円環状の吸熱空間１４が設置され、前記吸熱空間１４と前記照明空間１３との間には吸熱口１５が連通するように設置され、前記照明空間１３の下側には半円環状の送風空間１６が設置され、前記送風空間１６と前記照明空間１３との間には送風口１７が連通するように設置され、前記主体１１の中にはファン装置１０１が設置され、前記ファン装置１０１は前記主体１１の中に上下対称に設置されたファン空間１８を含み、前記ファン空間１８の左壁には左方に開口した半円環状の通気空間２１が連通するように設置され、上側の前記通気空間２１の左側が前記吸熱空間１４の右側に連通し、下側の前記通気空間２１の左側が前記送風空間１６の右側に連通し、上側の前記ファン空間１８の右壁には吸熱ファン１９が回転可能に設置され、下側の前記ファン空間１８の右壁には送風ファン２０が回転可能に設置され、前記主体１１の中の右側には熱エネルギー転換器４１が固定的に設置され、前記熱エネルギー転換器４１の上端には吸熱通路４２が連通するように設置され、前記吸熱通路４２の上端が左方に曲がって上側の前記ファン空間１８の右壁の上端に連通しており、前記熱エネルギー転換器４１の下端には送風通路４３が連通するように設置され、前記送風通路４３の下端が左方に曲がって下側の前記ファン空間１８の右壁の下端に連通しており、前記ファン空間１８の右側には制御装置１０２が設置され、前記制御装置１０２は前記吸熱ファン１９と前記送風ファン２０の回転を制御できると同時に前記吸熱通路４２と前記送風通路４３の開閉を制御できる。
【００１９】
有益的には、前記照明灯５２の発熱量が大きくなった時、前記吸熱ファン１９と前記送風ファン２０とが同時に回転し、前記送風ファン２０により風を下側の前記通気空間２１の中に吹かませて前記送風空間１６の中に吹き込んで、前記送風口１７により前記吸熱口１５に送風して冷却させ、この時前記吸熱ファン１９が風を吸い、吸熱口１５の周囲の熱気が前記吸熱口１５を通って前記吸熱空間１４の中に吸い込まれ、上側の前記通気空間２１を通って前記ファン空間１８の中に流れ込み、前記照明灯５２の発熱量が低い時、前記吸熱ファン１９が回転せず、前記送風ファン２０が続いて回転して前記吸熱口１５に送風して冷却させる。
【００２０】
有益的には、前記吸熱ファン１９の軸心には上ファン軸２２が固定的に設置され、上側の前記ファン空間１８の右下側にはプーリ空間２３が設置され、前記上ファン軸２２の右端が前記プーリ空間２３の中に延びており且つ前記上ファン軸２２の右端には従動プーリ２４が固定的に設置され、前記従動プーリ２４の下側には主動プーリ２５が回転可能に設置され、前記主動プーリ２５と前記従動プーリ２４との間には伝動ベルト２６が巻きつけられ、前記主動プーリ２５の軸心には伝動軸２７が固定的に設置され、前記送風ファン２０の軸心には下ファン軸２８が固定的に設置されている。
【００２１】
有益的には、前記制御装置１０２は前記プーリ空間２３の右側に設置された制御空間２９が設置され、前記伝動軸２７の右端が前記制御空間２９の中に延びており且つ前記伝動軸２７の右端には上平歯車３０が固定的に設置され、前記下ファン軸２８の右端が前記制御空間２９の中に延びており且つ前記下ファン軸２８の右端には下平歯車３１が固定的に設置され、前記下平歯車３１が前記上平歯車３０の下方に対向しており、前記下平歯車３１の右端には小平歯車３２が固定的に連結され、前記制御空間２９の内部の右側には切換棒３３が左右にスライド可能に設置され、前記切換棒３３の内部の下端には動力モータ３４が固定的に設置され、前記動力モータ３４の左端には前記小平歯車３２と噛み合える大平歯車３５が伝動可能に連結され、前記大平歯車３５の左端には主動平歯車３６が固定的に連結され、前記主動平歯車３６は前記上平歯車３０と前記下平歯車３１の両方と同時に噛み合うことができる。
【００２２】
有益的には、前記制御空間２９の上壁には平行移動空間３７が連通するように設置され、前記平行移動空間３７の左右壁の間には制御ボルト３８が回転可能に設置され、前記平行移動空間３７の中には前記制御ボルト３８にネジ山で連結された平行移動ブロック３９が左右にスライドできるように設置され、前記切換棒３３の上端が前記平行移動ブロック３９の下端面に固定的に連結されている。
【００２３】
有益的には、前記平行移動空間３７の左壁の中には制御モータ４０が固定的に設置され、前記制御ボルト３８の左端が前記制御モータ４０の右端に伝動可能に連結されている。
【００２４】
有益的には、前記吸熱通路４２の左壁と前記平行移動空間３７の右壁との間には上密封空間４４が連通するように設置され、前記上密封空間４４の中には密封できる上密封板４５が左右スライドできるように設置され、前記上密封板４５の右端が前記吸熱通路４２の中に延びて前記吸熱通路４２を密封することができ、前記平行移動ブロック３９の中には右方に開口した伸縮空間４６が設置され、前記上密封板４５の左端が前記伸縮空間４６の内部に延びており、前記上密封板４５の左端と前記伸縮空間４６の左壁との間には伸縮ばね４７が固定的に連結されている。
【００２５】
有益的には、前記送風通路４３の左壁と前記制御空間２９の右壁との間には下密封空間４８が連通するように設置され、前記下密封空間４８の中には下密封板４９が左右スライドできるように且つ密封できるように設置され、前記下密封板４９の右端が前記送風通路４３の中に延びて前記送風通路４３を密封することができ、前記下密封板４９の左端が前記制御空間２９の中に延びており且つ前記切換棒３３の右端面に固定的に連結されている。
【００２６】
有益的には、前記主体１１の左端面の中には円環型の熱量検測器５０が固定的に設置され、前記熱量検測器５０が前記動力モータ３４と前記制御モータ４０に通電できるように連結され、前記灯座５１が前記熱量検測器５０の内円の内部に位置し、前記熱量検測器５０は前記照明灯５２の四周の熱量を検測でき、前記熱量検測器５０は検測した熱量により前記制御モータ４０と前記動力モータ３４とを制御して冷却を行って温度を下げることができる。
【００２７】
下記に図１〜４をあわせて本願発明の使用手順を詳しく説明する：
【００２８】
初期状態の時、平行移動ブロック３９と切換棒３３とが右極限位置に位置し、この時上密封空間４４が吸熱通路４２を密封し伸縮空間４６の内部に縮ませ、伸縮ばね４７が圧縮状態にあり、この時下密封板４９が送風通路４３を密封しており、この時大平歯車３５と小平歯車３２とが噛み合っておらず、主動平歯車３６と上平歯車３０と下平歯車３１とが噛み合っていない。
照明灯５２により照明を提供する時、照明の時間が経てば経つほど、照明灯５２の外側の空気の温度が上げ、熱量検測器５０が高い温度を検測した時、制御モータ４０が起動して制御ボルト３８を回転連動させ、ネジ山連結によって平行移動ブロック３９が左へ左極限位置まで移動し、この時伸縮ばね４７がまず無弾力状態に戻り、この過程において上密封板４５がずっと吸熱通路４２を密封しており、それから伸縮ばね４７が上密封板４５を左に引っ張って吸熱通路４２を開け、平行移動ブロック３９が切換棒３３を連動させて同期に左へ左極限位置まで移動させ、更に下密封板４９を左に移動連動させて送風通路４３を開け、この時主動平歯車３６が左に移動して上平歯車３０と下平歯車３１と噛み合い、大平歯車３５が小平歯車３２の左側に移動して小平歯車３２と噛み合わなく、この時動力モータ３４が起動して大平歯車３５と主動平歯車３６とを回転連動させ、主動平歯車３６が歯車噛合により上平歯車３０と下平歯車３１とを回転連動させ、下平歯車３１が下ファン軸２８により送風ファン２０を回転連動させて送風し、更に照明灯５２の下側に冷風を送り、上平歯車３０が伝動軸２７により主動プーリ２０を回転連動させ、伝動ベルト２６により従動プーリ２４を回転連動させ、上ファン軸２２が吸熱ファン１９を回転連動させて風を吸い、更に照明空間１３の熱空気を上側のファン空間１８の中に吸い込み、更に吸熱通路４２により熱エネルギー転換器４１の中に送り、更に空気内の熱エネルギーを電気エネルギーに転換して貯蔵し、冷却した気体が送風通路４３を通って下側ファン空間１８の中に送られ、空気循環が実現できる。
照明灯５２を消す時、吸熱ファン１９と送風ファン２０の回転を保ち、熱量検測器５０が、照明空間１３の内部の温度が下がり、吸収できる熱量が少ないことを検測した時、制御モータ４０が起動して平行移動ブロック３９を右へ中間位置に移動させ、この時上密封板４５が吸熱通路４２を密封し、伸縮ばね４７が力を受けておらず、送風通路４３が依然として開けた状態にあり、この時主動平歯車３６と上平歯車３０と下平歯車３１とが噛合状態から脱離し、大平歯車３５と小平歯車３２とが噛み合い、この時動力モータ３４が続いて起動し、大平歯車３５が歯車噛合により小平歯車３２を回転連動させ、更に下平歯車３１と下ファン軸２８を回転連動させ、更に送風ファン２０を加速して回転連動させ、風力を強めることで、照明灯５２を早く冷却させる。
【００２９】
上記方式により、本分野の当業者は本願発明の範囲内に作動パターンにより各種な変化を実行できる。
【要約】
【課題】本発明は高パワー照明灯の高速冷却装置を開示した。
【解決手段】主体を含み、前記主体の左端面にはシェードが固定的に設置され、前記シェードの中には左方に開口した照明空間が設置され、前記主体の左端面の中には灯座が固定的に設置され、前記灯座の左端には前記照明空間の中に位置した照明灯が固定的かつ通電できるように連結され、前記照明空間の上壁には半円環状の吸熱空間が設置され、前記吸熱空間と前記照明空間との間には吸熱口が連通するように設置され、前記照明空間の下側には半円環状の送風空間が設置され、前記送風空間と前記照明空間との間には送風口が連通するように設置され、前記主体の中にはファン装置が設置され、前記ファン装置は前記主体の中に上下対称に設置されたファン空間を含み、前記ファン空間の左壁には左方に開口した半円環状の通気空間が連通するように設置される。
【選択図】図１【図１】
0006661092.tif 000002
【図２】
0006661092.tif 000003
【図３】
0006661092.tif 000004
【図４】
0006661092.tif 000005